(57)【特許請求の範囲】
【請求項１】
三角形状もしくは台形状をなす、複数のトラスが間隔を置いて基礎に締結されて立設され、該複数のトラスユニットの角部付近の間が連結材によって連結されたトラスユニット列が、通路幅を確保して複数列構成され、前記トラスユニットの中心部分に、通し柱を立設させ、且つ該通し柱の長さに差を付け、谷間のある屋根が通し柱の上に構築されてなることを特徴とする栽培施設の建屋。
【発明の詳細な説明】
【技術分野】
【０００１】  本発明は、トラスユニットを利用した、栽培施設の建屋に関する。
【背景技術】
【０００２】  農業又は園芸用温室等の建築物は、屋根と建築内の栽培環境を良好に保ち、安心の高い農産物又は丈夫で長持ちする園芸品を生産する提案が一般的であった。そのような商品を生産するために、栽培環境の向上を図りながら経費の節減が強よく求められている。【０００３】  本発明者は、水や肥料の無駄を削減するために新規な栽培装置を提案している。一般に水耕栽培（特許文献１参照）では、使用する水溶液の垂れ流しによる環境問題が、起きて、欧州では水溶液の垂れ流しは禁止されている国々がある。
【先行技術文献】
【特許文献】
【０００４】
【特許文献１】特開２０１２−１０３
【発明の概要】
【発明が解決しようとする課題】
【０００５】  本発明栽培施設の建屋は、従来の工法による、基礎、組立、栽培建屋、栽培施設等の工事期間が長く費用の負担が大である。特に近年は、異常気象による温度調整又は電力需要の増大で、農産物の採算性が悪化している。又、従来の栽培施設では建屋の構築の後、栽培施設を（畝や高設ベンチなど）別途造る必要がある。
【課題を解決するための手段】
【０００６】  本発明栽培施設の建屋は、三角形状もしくは台形状をなす、複数のトラスユニットが間隔を置いて基礎に締結されて立設され、該複数のトラスユニットの角部付近の間が連結材と筋かいよって連結されたトラスユニットの中心部分に、通し柱を立設させ、且つ該通し柱の長さに差を付け、谷間のある屋根が通し柱の上に構築されてなることを特徴とする。
【発明の効果】
【０００７】  本発明栽培施設の建屋は、トラスユニットの連立で栽培施設と建築物全体の構造物がトラスユニットで組まれている。トラスユニットは、現場以外でも組み立てた部材を、現地で、建設施工もできる、栽培施設も同時に建設施工ができることを特徴とする栽培施設の建屋である、また、基礎は、トラスユニット三ヶ所の柱全てに、スパイラル抗（スパイラルのねじりパイプについては特許第３０２３５８３号参照）で基礎工事を行うこと施工が短縮される。【０００８】  本発明のトラスユニットを利用した栽培施設の建屋は、早い工期で建設ができ、建築費を抑えることができる。また、大型の栽培建屋も可能であり、栽培ユニットを設置して栽培することで、栽培面積の有効利用と収穫増になる。該栽培は、余剰な水溶液を循環して使用し、周辺の環境を配慮した栽培をおこなうことができる。即ち、複数のトラスユニットでなる構築物が、そのまま栽培施設に活用できる。【０００９】  本発明のトラスユニットを利用した栽培施設の建屋は、南側壁面に太陽光パネルを設置して、電力と温水を利用して、照明や栽培地を適温に保つこともできる。また、該栽培施設の建屋は、畝型の上面、ベンチ型の上面や立体の台形型を造り、上面や両傾斜面を栽培地として、栽培ユニットを設置して栽培する。また、台形型の内部一部は、雨水の貯水、又は、育苗室や生育室や機械室等として使用することもできる。【００１０】  本発明のトラスユニットを利用した栽培施設の建屋は、各トラスユニットの通し柱の間に筋かいをして補強をする、また、トラスユニットの柱三ヶ所をスパイラル抗基礎で固めることができる。
【図面の簡単な説明】
【００１１】
【図１】  本発明トラスユニットを利用した栽培施設の建屋の骨組を示す斜視図である。
【図２】  本発明トラスユニットを利用した栽培施設を要素とする建屋を示す斜視図である
【図３】  本発明トラスユニットを利用した台形型の栽培施設を示す斜視図である。
【図４】  本発明トラスユニットを利用した栽培施設で使用する栽培ユニットを示す斜視図である。
【図５】  本発明トラスユニットを利用した栽培施設で使用する別の栽培ユニットを示す斜視図である。
【図６】  本発明トラスユニットを利用したベンチ型の栽培施設を示す斜視図である。
【図７】  本発明トラスユニットを利用した畝型の栽培施設を示す斜視図である。
【発明を実施するための形態】
【００１２】  図１は、トラスユニット１を建てた通し柱３の間の等間隔を利用して、栽培施設の建屋を造る骨組の構造である。複数のトラスユニット１が間隔を置いてスパイラル抗基礎４に締結して、トラスユニット１の通し柱３に棟木５や軒桁６で各トラスユニットを連結する、また、各スパイラル抗基礎も土台８で連結され、トラスユニットの間に筋かい７で補強されている。
【００１３】  図２は、トラスユニット１を等間隔で、スパイラル抗基礎４の上の建て通路幅を確保して連棟にする、各連棟は、一列おきの通し柱３の長さに差を作り、棟木５と軒桁６を組み屋根と谷間の形状で棟上げして、外側壁面に太陽光パネル２１を備えつけた栽培施設の建屋２である。
【００１４】  図３は、いちご、葉菜類を栽培する台形型の栽培施設である。トラスユニット１を建てた通し柱３の間に筋かい７で補強して、台形型栽培施設９を造る。該栽培施設９は、上面と両側の傾斜面を栽培地として利用する。該栽培施設９は、内側から耐水ボード１４、断熱防水シート１５、温水、冷水を通すパイプ１６（栽培地の適温）、妨根保水シート１７の上に組み合わせた栽培ユニット１３（１２）を設置して、栽培をする。水溶液は、上部から散水して、両側の傾斜面の下方に溝１８を設置して、余剰の水溶液を貯水して循環して使用する。
【００１５】  図４は、栽培施設で使用する栽培ユニット１２で、規則正しく穴が開けてあり、苗の種類により、植える数を調整する。栽培ユニット１２は、プラスチック、あるいは廃プラを使用して、簡単に成型できる。
【００１６】  図５は、ボックス型の栽培ユニット１３で底に多数の穴が開けられて、水溶液が底から流れ出る構造である。図４の栽培ユニット１２と組み合わせて図３台形型栽培施設９で使用できる。１２と同様にプラスチック、廃プラの成型製品である。
【００１７】  図６は、レタス、キャベツを栽培するベンチ型の栽培施設である。トラスユニット１を建てた通し柱３の間に筋かい７で補強して、人が作業しやすい高さに、等間隔の間に枠付きのベンチ型栽培施設１０を造り、その上に、断熱防水シート１５、温水、冷水を流すパイプ１６（栽培地の適温）、妨根保水シート１７、栽培用土２０、その上に栽培ユニット１２の順で設置して栽培をする。上面から散水をおこない余剰な水溶液は、排水口１９から溝１８に貯水して循環をして使用する。
【００１８】  図７は、トマト、メロンを栽培する畝型の栽培施設である。トラスユニット１を建てた通し柱３の間に筋かい７で補強して、等間隔を利用して、畝型栽培施設１１を造り断熱防水シート１５、妨根保水シート１７を敷き詰めて栽培用土２０で満たし、温水、冷水を流すパイプ１６（栽培地の適温）を埋設して栽培地の上に栽培ユニット１２を設置して栽培する。上面から散水をおこない余剰な水溶液は、排水口１９から溝１８に貯水して循環をする。水溶液は、施設のなかで使用し、外部に排泄しないように栽培することも可能である。
【符号の説明】
【００１９】  １  トラスユニット
２  建屋
３  通し柱
４  スパイラル基礎
５  棟木
６  軒桁
７  筋かい
８  土台
９  台形型栽培施設
１０  ベンチ型栽培施設
１１  畝型栽培施設
１２  穴あき栽培ユニット
１３  ボックス栽培ユニット
１４  耐水ボード
１５  断熱防水シート
１６  温水冷水用パイプ
１７  防根保水シート
１８  溝
１９  排水口
２０  栽培用土
２１  太陽光パネル
【図１】
0005524998.tif 000002
【図２】
0005524998.tif 000003
【図３】
0005524998.tif 000004
【図４】
0005524998.tif 000005
【図５】
0005524998.tif 000006
【図６】
0005524998.tif 000007
【図７】
0005524998.tif 000008